(57)【特許請求の範囲】
【請求項１】
建物の上下方向に延長するように設けられて上部開口が建物の屋上と連通し、かつ、下部開口が連通路を介して建物の下部の回りと連通するように建物の内側に設けられたボイドと、ボイドの周囲を取り囲むように設けられたボイド側廊下とを備えた建物において、
ボイド側廊下のボイド側縁部に、ボイド側廊下側からボイド側に向けて傾斜して立ち上がる傾斜面を有してボイドの空間内に位置される気流制御部を備えたことを特徴とする建物。
【請求項２】
気流制御部として、手摺を兼ねた構成の気流制御部を備えたことを特徴とする請求項１に記載の建物。
【発明の詳細な説明】
【技術分野】
【０００１】
本発明は、内側にボイド（吹き抜け空間）が設けられた建物においてボイド側廊下の換気を良好にできる建物に関する。
【背景技術】
【０００２】
建物の上下方向に延長し、上端部が開口し、かつ、下端部が廊下やダクト等の連通路を介して建物の下部の回りと連通するように形成されたボイドを、内側に備えた建物が知られている。
【先行技術文献】
【特許文献】
【０００３】
【特許文献１】特開２００３−８３５７７号公報
【発明の概要】
【発明が解決しようとする課題】
【０００４】
上述したボイドを有した建物においては、図３（ｃ）に示すように、ボイド５の周囲を取り囲むように設けられたボイド側廊下１０のボイド側縁部９に、当該ボイド側縁部９から垂直に立ち上がる手摺等の垂直部１５を備える。従って、ボイド側廊下１０内で気流が渦巻いてしまって、住居からボイド側廊下１０に出た排気がボイド５の空間に排出されにくくなってボイド側廊下１０の空気がよどみ、ボイド側廊下１０で生活臭がこもってしまうという問題点があった。
本発明は、ボイド側廊下の換気を良好にできる建物を提供する。
【課題を解決するための手段】
【０００５】
本発明に係る建物は、建物の上下方向に延長するように設けられて上部開口が建物の屋上と連通し、かつ、下部開口が連通路を介して建物の下部の回りと連通するように建物の内側に設けられたボイドと、ボイドの周囲を取り囲むように設けられたボイド側廊下とを備えた建物において、ボイド側廊下のボイド側縁部に、ボイド側廊下側からボイド側に向けて傾斜して立ち上がる傾斜面を有してボイドの空間内に位置される気流制御部を備えたので、ボイド側廊下からボイドへと気流が流れ出やすくなり、ボイド側廊下の換気を良好にできる。
また、気流制御部として、手摺を兼ねた構成の気流制御部を備えたことにより、気流制御部の内側に手摺が無いために空気の流れを阻害する要因が減るので、気流制御部の傾斜面による気流制御効果が向上し、ボイド側廊下の換気がより良好に行われるようになる。
【図面の簡単な説明】
【０００６】
【図１】建物を示す図であって、（ａ）は水平断面図、（ｂ）は気流制御部の拡大図、（ｃ）は垂直断面図（実施形態１）。
【図２】建物の斜視図、平面図、垂直断面図、及び建物のボイド側廊下内及びボイド内での気流状態をシミュレーションで求めた結果を示す図（実施形態１）。
【図３】建物の斜視図、平面図、垂直断面図、及び建物のボイド側廊下内及びボイド内での気流状態をシミュレーションで求めた結果を示す図（従来例）。
【図４】建物の斜視図、平面図、垂直断面図、及び建物のボイド内での圧力分布を数値シミュレーションで求めた結果を示す図（実施形態２）。
【図５】建物の斜視図、平面図、垂直断面図、及び建物のボイド内での圧力分布を数値シミュレーションで求めた結果を示す図（実施形態３）。
【発明を実施するための形態】
【０００７】
実施形態１
図１；図２に示すように、建物１は、内側にボイド５を備えた構造の建物である。ボイド５は、建物１の上下方向にし、上端部６が開口し、かつ、下端部７が連通路８を介して建物１の下部の回りと連通する構成である。
【０００８】
建物１は、ボイド５の周囲を取り囲むように設けられたボイド側廊下１０のボイド側縁部９に、ボイド側廊下１０側からボイド５側に向けて傾斜して立ち上がる傾斜面１１を形成する板１２（例えば平板）により形成されてボイド５の空間内に位置される気流制御部２０を備える（図１（ｂ）参照）。尚、傾斜面１１は、ボイド側廊下１０側に面する面である。
また、気流制御部２０は、手摺を兼ねた気流制御部２０であってもよいし、図外の手摺とは別に設けられた気流制御部２０であってもよい。
手摺を兼ねた構成の気流制御部２０を設けた場合、気流制御部２０の内側に手摺が無いために空気の流れを阻害する要因が減るので、気流制御部２０の傾斜面１１による気流制御効果が向上し、後述するようにボイド側廊下１０の換気がより良好に行われるようになる。
一方、気流制御部２０とは別に手摺を設ける場合には、当該手摺としては、例えば、ボイド側廊下１０と気流制御部２０との境界部付近のボイド側廊下１０や気流制御部２０より立ち上がるように設けられた手摺、あるいは、気流制御部２０の上端側から建物内側方向に延長するように設けられた手摺を設ければよいが、この場合、空気の流通を遮断する板状でない構成の手摺を設ける。例えば、ボイド側廊下１０と気流制御部２０との境界部付近のボイド側廊下１０や気流制御部２０より立ち上がるように設けられた支持部の上端側にボイド側廊下１０の延長方向に延長するような手摺部を備えた手摺、あるいは、気流制御部２０の上端側から建物内側方向に延長するように設けられた支持部の先端側にボイド側廊下１０の延長方向に延長するような手摺部を備えた手摺であって、前記支持部が柵状又は格子状に形成された構成の手摺を設ければよい。
【０００９】
例えば、図１（ｂ）に示すように、気流制御部２０のボイド側廊下１０の床面１３からの垂直方向の高さｈは１２０ｃｍ程度に形成され、気流制御部２０のボイド側廊下１０の領域からボイド空間に突出する水平方向の長さｗは６９ｃｍ程度に形成され、気流制御部２０の傾斜面１１とボイド側廊下１０の床面とのなす角度（鋭角）αは６０°程度に形成される。尚、手摺を兼ねた気流制御部２０の場合、気流制御部２０の高さｈ、長さｗ、角度αは、人が気流制御部２０を乗り越えられないように適切な値に設定される。例えば、手摺を兼ねた気流制御部２０の場合、気流制御部２０の高さｈは１１０〜１３０ｃｍ程度が好ましい。
気流制御部２０は、例えば、鉄筋コンクリート、金属、強化合成樹脂等の材料により形成される。
【００１０】
図２（ａ）に示す建物１の外壁面２１（下部に連通路８が形成された外壁面）に白抜矢印Ａで示した方向（外壁面２１と直交する方向）から風が吹き風圧が建物に作用した場合にボイド側廊下１０内及びボイド５内での気流状態をシミュレーションで求めた結果を図２（ｄ）に示す。
また、図３（ａ）に示すような、ボイド側廊下１０のボイド側縁部９に当該ボイド側縁部９から垂直に立ち上がる手摺等の垂直部１５を備えた従来の建物１００の外壁面２１（下部に連通路８が形成された外壁面）に白抜矢印Ａで示した方向（外壁面２１と直交する方向）から風が吹き風圧が建物に作用した場合にボイド側廊下１０内及びボイド５内での気流状態をシミュレーションで求めた結果を図３（ｄ）に示す。
尚、図２及び図３において、図（ａ）はシミュレーションの対象とした建物の斜視図、図（ｂ）はシミュレーションにおける建物の外壁面に対する風向きを示す平面図、図（ｃ）はシミュレーションの対象とした建物の垂直断面図、図（ｄ）は建物の外壁面２１に風圧が作用した場合にボイド側廊下１０内及びボイド５内での気流状態をシミュレーションで求めた結果を示した図である。尚、図２（ｄ）；図３（ｄ）では、図２（ｂ）；図３（ｂ）の垂直断面切断位置Ｐにおける状態を示した。
【００１１】
ボイド側廊下１０に垂直部１５を備えた従来の建物１００では、図３（ｄ）に示すように、ボイド側廊下１０内で気流が渦巻いてしまって、ボイド側廊下１０からボイド５内に気流が流れていないのに対して、実施形態１の建物１では、図２（ｄ）に示すように、ボイド側廊下１０からボイド５内に気流が流れ出ており、ボイド側廊下１０の換気が良好に行われていることがわかる。
即ち、実施形態１の建物１によれば、ボイド側廊下１０のボイド側縁部９に、ボイド側廊下１０側からボイド５側に向けて傾斜して立ち上がる傾斜面１１を有してボイド５の空間内に位置される気流制御部２０を備えたので、ボイド側廊下１０からボイド５へと気流が流れ出やすくなり、ボイド側廊下１０の換気を良好にできる。
【００１２】
実施形態２
後述するようにボイド５内の換気を良好とできる構成を備えた建物１Ａに、実施形態１で説明した気流制御部２０を設けた構成とすれば、ボイド側廊下１０及びボイド５内の換気をより良好にできる建物となる。
【００１３】
図４に示すように、建物１Ａは、建物本体２と、建物本体２の屋上３より上方に突出するボイド内換気制御構造体４とを備える。
建物本体２は、内側にボイド５を備える。ボイド５は、建物本体２の上下方向にし、上端部６が開口し、かつ、下端部７が連通路８を介して建物本体２の下部の回りと連通する構成である。
ボイド内換気制御構造体４は、建物本体２の屋上３の周囲を取り囲むように屋上３の周縁部３１から上方に立ち上がるように設けられた囲み壁４０により構成される。囲み壁４０は、例えば板面が垂直面となるように建物本体２の屋上３に設置された平板により構成される。
例えば、建物本体２における屋上３までの建物形状が正四角柱状である場合、正四角形の屋上３の各辺縁より平板が垂直に立ち上がるように設けられて互いに隣り合う平板の側端部同士が連結されることで、各平板の上端縁が同一水平面上に位置する上部開口縁４１を形成する四角筒枠状の囲み壁４０が建物本体２の屋上３に構築され、かつ、囲み壁４０で囲まれた四角柱状の上部開放の柱状空間４２が形成される。
【００１４】
図４（ａ）に示す建物１Ａの建物本体２の外壁面２１（下部に連通路８が形成された外壁面）に白抜矢印Ａで示した方向（外壁面２１と直交する方向）から風が吹き風圧が建物に作用した場合にボイド５内での圧力分布がどのようになるかを数値シミュレーションで求めた結果を図４（ｄ）に示す。
尚、図４及び後述する図５において、図（ａ）は数値シミュレーションの対象とした建物の斜視図、図（ｂ）は数値シミュレーションにおける建物の外壁面に対する風向きを示す平面図、図（ｃ）は数値シミュレーションの対象とした建物の垂直断面図、図（ｄ）は当該建物の外壁面２１に風圧が作用した場合にボイド５内での圧力分布を数値シミュレーションで求めた結果を示した図である。図（ｄ）において建物１Ａの最も左側の外壁面が図（ａ）；図（ｂ）の外壁面２１に相当する。
図（ｄ）における等圧線Ｆに付した数字は風圧係数であり、等圧線Ｆの１間隔は、風圧係数０．０５間隔である。風圧係数Ｃｐは、風が吹くことによって建物１の外表面に作用する圧力ｐを建物頂部高さＨにおける速度圧ｑＨで除した値（Ｃｐ＝ｐ／ｑＨ）である。風圧係数は、＋の場合は面を押す力を示し、−の場合は面を引く力を示す。
尚、図４（ｄ）；図５（ｄ）では、図４（ｂ）；図５（ｂ）の垂直断面切断位置Ｐにおける状態を示した。
【００１５】
ボイド５内の換気を良好とするためには、ボイド５の下部からボイド５の上部に向けて空気がスムーズに流れるようにすることが好ましい。そして、ボイド５の下部からボイド５の上部に向けて空気がスムーズに流れるようにするためには、ボイド５内の上部側がボイド５内の下部側よりも風圧係数が小さい状態であること（以下、条件１という）、及び、建物下部の建物回りの空気がボイド５内に流れ込みやすいようにボイド５内の風圧係数がより小さい状態であること（以下、条件２という）が必要であると考えられる。
図４からわかるように、建物１Ａによれば、ボイド５内の上部側の風圧係数は−０．７０程度であり、ボイド５内の下部側の風圧係数は−０．６５程度であるので、ボイド５内の上部側がボイド５内の下部側よりも風圧係数が小さい状態になっており、ボイド５内の上部側がボイド５内の下部側よりも風圧係数が小さい状態であることという条件１を満たす。さらに、ボイド５内の風圧係数は−０．６５〜−０．７０であり、ボイド５内の風圧係数がより小さい状態であることという条件２を満たす。つまり、図４に示す建物１Ａによれば、ボイド５の下部からボイド５の上部に向けて空気がスムーズに流れてボイド５内の換気を良好にできる建物となる。
【００１６】
従って、ボイド５内の換気を良好とできる構成を備えた当該建物１Ａに、実施形態１で説明した気流制御部２０を設けた構成とすれば、ボイド側廊下１０及びボイド５内の換気をより良好にできる建物１を得ることができる。
【００１７】
実施形態３
後述するようにボイド５内の換気を良好とできる構成を備えた建物１Ｂに、実施形態１で説明した気流制御部２０を設けた構成とすれば、ボイド側廊下１０及びボイド５内の換気をより良好にできる建物となる。
図５に示すように、建物１Ｂは、ボイド内換気制御構造体４が、建物本体２の屋上３の周囲を取り囲むように屋上３の周縁部３１から上方に立ち上がるように設けられた壁面４５と当該壁面４５の上端４９とボイド５の上部開口縁５１とを繋ぐ傾斜面４６とを備えた構成である。尚、図５において、実施形態２の図４と同一部分については同一符号を付してその説明を省略する。
例えば、図５に示すように、建物本体２における屋上３までの建物形状が正四角柱状である場合、正四角形の屋上３の各辺縁より平板が垂直に立ち上がるように設けられて互いに隣り合う平板の側端部同士が連結されることで、各平板の上端縁が同一水平面上に位置する上部開口縁４７を形成する四角筒枠状の囲み壁４８が建物本体２の屋上に構築され、かつ、囲み壁４８を構成する各平板の各上端４９とボイド５の上部開口縁５１の各一辺とがそれぞれ平板により連結されて各傾斜面４６が形成されたことにより、ボイド５の上部開口縁５１から上方に延長する上部開放の逆四角錐柱状のような逆錐形状空間５０が形成された構成である。
【００１８】
図５（ａ）に示す建物１Ｂのボイド５内での圧力分布がどのようになるかを数値シミュレーションで求めた結果を図５（ｄ）に示す。
図５からわかるように、建物１Ｂによれば、ボイド５内の上部側の風圧係数は−０．７０程度であり、ボイド５内の下部側の風圧係数は−０．６５程度であるので、上記条件１を満たす。さらに、ボイド５内の風圧係数は−０．６５〜−０．７０であり、上記条件２を満たす。即ち、当該建物１Ｂによれば、ボイド５の下部からボイド５の上部に向けて空気がスムーズに流れてボイド５内の換気を良好にできる建物が得られる。
【００１９】
従って、ボイド５内の換気を良好とできる構成を備えた当該建物１Ｂに、実施形態１で説明した気流制御部２０を設けた構成とすれば、ボイド側廊下１０及びボイド５内の換気をより良好にできる建物１を得ることができる。
【００２０】
尚、気流制御部２０は、ボイド５の周囲を取り囲むように設けられたボイド側廊下１０のボイド側縁部９の全てに設けることが好ましいが、ボイド側廊下１０のボイド側縁部９の一部にのみ設けるようにしてもよいし、また、階毎に設ける場所を異ならせるようにしてもよい。
【符号の説明】
【００２１】
１  建物、３  屋上、５  ボイド、８  連通路、９  ボイド側縁部、
１０  ボイド側廊下、１１  傾斜面、２０  気流制御部。
【図１】
0005856522.tif 000002
【図２】
0005856522.tif 000003
【図３】
0005856522.tif 000004
【図４】
0005856522.tif 000005
【図５】
0005856522.tif 000006